(57)【要約】【課題】修理等を行い易くしてメンテナンス性に優れ、槽組込性も改善する。【解決手段】槽底面に固定される排水口部材１１に対し栓１２を昇降ユニット３０を介し支持する排水機構体５、槽上側に固定される釦ケース４０に対し操作釦１４をスイッチユニット６０を介し支持する操作機構体６、機構体５と６の間に介在された連結管７内に配されて各ユニット３０，６０を接続するワイヤ８とからなる排水栓装置１０において、操作機構体６は、連結管７と接続されるプラグケース４５と、下端面に開口４４を形成してプラグケース４５に連結される釦ケース４０と、ユニット６０を支持して釦ケース内へ挿入されるホルダー５０とを備え、釦ケース４０及びホルダー５０の一方側に被係合部４４ｂを、他方側に上向きに配置される弾性係止片５７を設け、釦ケース４０にホルダー５０を被係合部４４ｂと係止片５７との係合を介し固定する。【選択図】    図３
2004300840.tif 000002
【特許請求の範囲】
【請求項１】
水槽底面に固定される排水口部材に対し栓を昇降ユニットを介し支持する排水機構体と、水槽上側に固定される釦ケースに対し操作釦をスイッチユニットを介し支持する操作機構体と、前記排水機構体及び操作機構体の間に介在された連結管内に配されて前記昇降ユニットとスイッチユニットとを接続するレリースワイヤとからなり、前記操作機構体の動作力を前記レリースワイヤを介し前記排水機構体に伝えて前記栓の開閉を切り換える排水栓装置において、
前記操作機構体は、前記連結管の対応端と接続されるプラグケースと、下端面に開口を形成して前記プラグケースに連結される前記釦ケースと、前記スイッチユニットを支持して前記釦ケース内へ挿入されると一部が前記開口より前記プラグケース側へ配置されるホルダーとを備え、
前記釦ケース及びホルダーの一方側に被係合部を設け、他方側に上向きに配置される弾性係止片を設けて、前記釦ケースに対し前記ホルダーを前記被係合部と前記弾性係止片との係合を介して固定することを特徴とする排水栓装置。
【請求項２】
前記排水機構体は、前記連結管の対応端側と接続されるプラグケースと、前記プラグケースに連結される前記排水口部材と、前記昇降ユニットを支持した状態で前記排水口部材に挿入されるリテーナとを備え、
前記排水口部材及びリテーナの一方側に被係合部を設け、他方側に上向きに配置される弾性係止片を設けて、前記排水口部材に対し前記リテーナを前記被係合部と前記弾性係止片との係合を介し固定する請求項１に記載の排水栓装置。
【請求項３】
前記操作機構体側の弾性係止片、又は／及び、前記排水機構体側の弾性係止片が下側を支点として揺動可能で、かつ、前記被係合部と係合する爪部を外面側に突出している請求項１又は２に記載の排水栓装置。
【請求項４】
前記弾性係止片は、両側が上下スリットを介し区画され、前記爪部よりも上側が係合解除操作用の自由端になっている請求項３に記載の排水栓装置。
【発明の詳細な説明】
【０００１】
【発明の属する技術分野】
本発明は、洗面器や浴槽等に設けられる排水栓装置のうち、特に、栓が操作釦の押圧によりレリーズワイヤ（以下、ワイヤと略称する）等を介し開閉される遠隔操作式の排水栓装置に関するものである。
【０００２】
【従来の技術】
遠隔操作式の排水栓装置は、下記特許文献１や２等に例示されるごとく広く知られている。図１３は装置構造例として文献１のものを示している。図中、符号８０が浴槽等の水槽、符号８１が槽底面側、符号８２が上面側である。符号８３は開閉用栓、符号８４は操作釦である。そして、この排水栓装置では、水槽底面８１に設けられた排水機構体８５と、水槽上面８２に設けられた操作機構体９０と、排水機構体８５と操作機構体９０との間に介在された連結管９５と、連結管９５内に配置されて排水機構体８５と操作機構体９０とを接続しているワイヤ９６とを備え、操作機構体９０を構成している操作釦８４の動作力をワイヤ９６を介して排水機構体８５に伝達して栓８３の開閉を切り換える。
【０００３】
ここで、ワイヤ９６はチューブで被覆され、チューブ内を摺動可能となっている。排水機構体８５は、水槽底面８１の排水口に固定される排水口部材８６と、排水口部材８６及び連結管９５の対応端に連結されるプラグケース８７と、ワイヤ９６の対応端側と栓８３とを作動連結するシフト機構と称される昇降ユニット８８等からなる。昇降ユニット８８は、通常、ワイヤ９６の対応端に予め装着される。槽組込作業において、プラグケース８７は、横向きの管部を有し、該管部が連結管９５の対応端に結合される。排水口部材８６とプラグケース８７とは、水槽底面８１を挟んで又シール材Ｓを介在した状態で螺合結合される。昇降ユニット８８は、ワイヤ９６と共に連結管９５及び排水口部材８６を通して槽上側へ突出される。その後、昇降ユニット８８は、リテーナ８９を介し排水口部材８６内に固定され、又、栓８３の下部側と連結操作される。
【０００４】
操作機構体９０は、水槽上面（上側面の態様もある）８２に固定される釦ケース９１と、スラストロック機構と称されるスイッチユニット９２と、該スイッチユニット９２を収容するプラグケース９３等からなる。なお、図１３の形態では釦ケース９１及びプラグケース９３が一体物となっている。但し、通常は、ナット９４等による締め付け方式だと、作業性が悪くなったり締め付け力が過剰になり易いため螺合される釦ケースとプラグケースで構成される（文献２を参照）。また、スイッチユニット９２はワイヤ９６のもう一方の対応端に予め装着される。槽組込作業において、図１３の形態では、釦ケース９１及びプラグケース９３が槽に開口された取付孔より挿入されてガイド及びナット９４等により締め付けられて槽に固定される。後者の形態ではプラグケースの対応部が連結管に結合された後、釦ケースとプラグケースとが水槽対応部を挟んで螺合結合される。そして、スイッチユニット９２は、ワイヤ９６を排水機構体８５側まで挿入移動した後、釦ケース９１内に固定される。操作釦８４はスイッチユニット９２に予め装着したり後付けされる。
【０００５】
【特許文献１】
特開平１１−９９０７７号公報（第３〜４頁、図１〜図６）
【特許文献２】
特開平９−６００７３号公報（第２〜４頁、図１〜図８）
【０００６】
【発明が解決しようとする課題】
以上の排水栓装置は、作動特性や槽への組込作業性等から色々改良されているが、次のような点が問題となり未だ満足できない。まず、従来装置では、文献２等に開示のごとく操作機構体側において、スイッチユニットを上から下への押し込め操作により釦ケースに係合固定したり、排水機構体側において、昇降ユニットを支持したリテーナも同様に押し込め操作により排水口部材に係合固定することで作業性を良好にしている。ところが、この係合構造は、釦ケースや排水口部材が小筒形となる関係等で制約され、例えば、対応部を弾性変位し易くした圧入係合（文献２の図３〜図５参照）か、図１３中の符号８９ａの爪部、つまり挿入先端に爪部８９ａを設け、該爪部８９ａを筒側の下端面又は筒内に設けられた開口縁に弾性的に係合するものである。このため、従来装置では、図１３のリテーナ８９から推察されるごとく、各部材が一旦組み付けられると、保守や修理及び分解等において、前記係合を解除するためスイッチユニット９２や昇降ユニット（リテーナ）８８，８９を係合力に抗して強制的に引き抜くと、各部を損傷したり再使用不能になり易い。このような不具合は、例えば、操作機構体又は排水機構体側の一方だけを修理する場合であっても、スイッチユニット及び昇降ユニット（リテーナ）の両方を外さなければならなくなったり、長いワイヤを一方側から外へ引き出し、修理後再び一方から他方側へ通さなければならないケースもあるため改良が望まれている。
【０００７】
本発明は以上のような課題を解消するものである。その目的は、特に、保守や修理等を行い易くしてメンテナンス性に優れ、それにより槽への組込性も改善可能にすることにある。他の目的は以下の内容説明の中で明らかにする。
【０００８】
【課題を解決するための手段】
上記目的を達成するため本発明の排水栓装置は、図面の例で特定すると、水槽１底面に固定される排水口部材１１に対し栓１２を昇降ユニット３０を介し支持する排水機構体５と、水槽上側に固定される釦ケース４０に対し操作釦１４をスイッチユニット６０を介し支持する操作機構体６と、前記排水機構体５及び操作機構体６の間に介在された連結管７内に配されて前記昇降ユニット３０とスイッチユニット６０とを接続するレリースワイヤ８とからなり、前記操作機構体６の動作力を前記レリースワイヤ８を介し前記排水機構体５に伝えて前記栓１２の開閉を切り換える排水栓装置１０において、前記操作機構体６は、前記連結管７の対応端と接続されるプラグケース４５と、下端面に開口４４を形成して前記プラグケース４５に連結される前記釦ケース４０と、前記スイッチユニット６０を支持して前記釦ケース内へ挿入されると一部が前記開口４４より前記プラグケース側へ配置されるホルダー５０とを備え、前記釦ケース４０及びホルダー５０の一方側に被係合部４４ｂを設け、他方側に上向きに配置される弾性係止片５７を設けて、前記釦ケース４０に対し前記ホルダー５０を前記被係合部４４ｂと弾性係止片５７との係合を介して固定することを特徴としている。なお、「上向きに配置される弾性係止片」とは釦ケースの入口側の意味である。また、釦ケースは、水槽に対し上下に配置される態様と横向きに配置される態様とを含む。
【０００９】
（工夫点等）以上の発明は、釦ケースに対しスイッチユニットを係合固定したり、排水栓部材に対し昇降ユニットを係合固定する構造を対象とし、各係合力を増大する場合にも、ワンタッチ操作により係合及び離脱可能にして、槽組込性を維持しながら再組込、保守や修理、更には解体性を良好に行えるようにしたものである。即ち、請求項１では、スイッチユニットを釦ケースに対応したホルダーに支持したこと、釦ケースに対しホルダーを被係合部と弾性係止片との係合を介して固定すること、弾性係止片を釦ケース内で上向きに配置したことにより、例えば、修理等においては操作釦を外した後、弾性係止片の上端側を利用して係合解除できる。請求項２では、昇降ユニットを排水口部材に対しリテーナを介して支持したこと、排水口部材に対しリテーナを被係合部と弾性係止片との係合を介して固定すること、弾性係止片を排水口部材内で上向きに配置したことにより、例えば、修理等においては栓を外した後、弾性係止片の上端側を利用して係合解除できる。これに対し、請求項３は、以上の弾性係止片が下側を支点として揺動可能で、かつ、被係合部と係合する爪部を外面に突設している構成である。これは、係合力を爪部の突出寸法の設定で増大可能にしたり、係合解除操作をより行い易くする。請求項４は、以上の弾性係止片を形態例のものに限定し、弾性係止片の着脱作用を明瞭化したものである。
【００１０】
【発明の実施の形態】
本発明の排水栓装置例について図面を参照して詳述する。図１は排水栓装置の水槽への適用例を模式的に示す説明図である。図２〜図６は排水栓装置の排水機構体側を示し、図７〜図１２は排水栓装置の操作機構体側を示している。以下の説明では、装置全体の概要について述べ、その後、排水機構体と操作機構体の構成を細部作動と共に説明し、最後に槽側への組込手順等に言及する。
【００１１】
（概要）図１において、符号１は浴槽等の水槽であり、符号２は水槽１の底面側を示し、符号４は水槽の上面側を示している。そして、本発明の排水栓装置１０は、排水口３に設けられる排水機構体５と、水槽上面４の操作し易い箇所に設けられて排水機構体５を遠隔操作する操作機構体６と、排水機構体５と操作機構体６との間を金具等を用いて連結している連結管７と、連結管７内に配置されてチューブ９で被覆されたワイヤ８等を備えている。なお、操作機構体６は、水槽上側の側面等に設置されることもある。ワイヤ８は、チューブ９内を摺動自在に挿通され、一端側が排水機構体５の栓１２に図３の昇降ユニット３０を介し連結され、他端側が操作機構体６の操作釦１４に図１０のスイッチユニット６０を介し連結されている。そして、作動は、操作釦１４を押圧すると、該操作釦１４の下動に連動してワイヤ８がチューブ９内を摺動し、該摺動により栓１２もワイヤ８と一体に動き栓１２を開状態にてロックし、もう一回押圧されると、該ロックが解除されて操作釦１４が元の位置つまり上方へ動き、操作釦１４を再び押圧すると、該操作釦１４の下動に連動して栓１２を閉状態に切り換える。これらは従来と同様である。本発明要部は排水機構体５及び操作機構体６にある。
【００１２】
（排水機構体）図２は図１の排水機構体５であり、同（ａ）は栓閉状態を示す図、（ｂ）は栓開状態（一部模式化している）を示す図である。図３は排水機構体５の部材関係を示す概略的な構成図である。図４は排水機構体５の要部であり、同（ａ）はリテーナ及び昇降ユニットの断面図、同（ｂ）は排水口部材を半分割した図である。図５及び図６はリテーナを示し、図５（ａ）はリテーナの上面図、同（ｂ）は本体及び抜止部材の上面図、図６（ａ）はリテーナの概略斜視図、同（ｂ）は抜止部材の概略図である。
形態例の排水機構体５は、槽底面側の排水口３に装着されるプラグケース１５及び排水口部材１１と、排水口部材１１に組み込まれるリテーナ２０と、リテーナ２０に拘束支持される昇降ユニット３０等を備え、排水口部材１１の上開口に対し栓１２の開閉をワイヤ８及び昇降ユニット３０を介して切り換える。
【００１３】
ここで、プラグケース１５は、上下に貫通している排水路用の管部１５Ａと、該管部１５Ａの下横向きに接続されている管部１５Ｂとからなる。管部１５Ａは、水槽１の排水口３に略対応した大きさで、内周に設けられた雌ねじ１５ｂと、上外周に設けられた突き当て用フランジ部１５ａとを有し、雌ねじ１５ｂが排水口部材１１との連結用であり、フランジ部１５ａが槽底面外側に対しシール材Ｓ２を介し安定当接可能にする。管部１５Ｂは、前記操作機構体６と対応する向きに突出され、連結管７の対応端と結合されて、連結管７内よりワイヤ８を内挿しているチューブ９の対応端を管路１５Ａ及び排水口部材１１内より槽上方へ導出する。
【００１４】
排水口部材１１は、図４のごとく上下に貫通した筒状に形成され、上端部分に設けられた鍔状フランジ部１１ａと、外周面に設けられた雄ねじ１１ｂと、下端側の内周面に設けられてリテーナ２０を取り付ける被係合部１１ｃとを有している。被係合部１１ｃは、円鍔状に張り出した状態に形成されている。
【００１５】
以上の排水口部材１１には、昇降ユニット３０がリテーナ２０を介して組み込まれる。このうち、昇降ユニット（リフト機構）３０は、リテーナ２０を介して排水口部材１１の内側に位置決め固定されて、栓１２をワイヤ８の可動に連動して開閉可能にする。この例では、昇降ユニット３０が図４のごとく、中心側の筒部材３１と、該筒部材３１に上下摺動可能に組み付けられた可動筒３２と、下側より筒部材３１に嵌合されかつ可動筒３２と係合して一体に摺動されるストッパ３３等を備えている。細部は、図面上一部省略したが、次のような構成である。
【００１６】
筒部材３１は、筒内が上側の大径孔３１ａと下側の小径孔（符号省略）になっており、上端縁が外側に張り出した規制部３４を形成し、外周が下周囲に設けた溝部３５ａで区画された突状部３５を有している。溝部３５ａは下端側近くに周回した溝である。突状部３５はリテーナ用の係止部である。そして、前記小径孔にはワイヤ８を挿通しているチューブ９の対応端が装着固定されている。この固定構造は圧着や溶着等であり、又、実際にはチューブ９を金型内にインサートし筒部材３１を成形することにより、物理的かつ溶着により固定している。ワイヤ８の対応端は、チュープ９より大径孔３１ａを通って更に上へ突出されている。該端末には取付具３７が装着されている。
【００１７】
可動筒３２は、筒内にあって上端面より下設された保持用小筒部３８と、筒外周囲にあって略中間部に設けられた上下の爪部３２ａ，３２ｂとを有している。小筒部３８は、半筒状に形成されて、ワイヤ８の取付具３７を装着する。爪部３２ａは、栓１２の連結脚１２ａを係止することにより栓１２を可動筒３２に装着する。爪部３２ｂはストッパ３３を装着可能にする。このストッパ３３は、可動筒３２の下開口を塞ぐことにより、取付時やメンテナンスのための取り外し時、又は、掃除等のために昇降具３０が引き出されるときに、可動筒３２と取付具３７との嵌合部の外れや、取付具３７とワイヤ８とのカシメ部の抜けを防ぐものである。形状は、概略キャップ状であり、端面に設けられた下孔と、周囲に設けられて前記爪部３２ｂと係合する横孔とを有している。そして、このストッパ３３は、図４のごとく筒部材３１を下孔から串差し状に配置し、前記横孔と爪部３２との係合により可動筒３２に連結される。このため、ストッパ３３及び可動筒３２並びに取付具３７は、ワイヤ８の可動に伴って一体として摺動される。また、この摺動範囲は、図２より推察されるごとく、栓１２の開位置と閉位置に対応しており、ストッパ３３の端面がリテーナ２０の対応部と当たる最下位置から、ストッパ３３の端面（筒下端面）が前記筒部材３１の上側規制部３４と当たる最上位置まである。
【００１８】
リテーナ２０は樹脂製であり、図５と図６のごとく、本体２１及び抜止部材２６から構成され、全体が略円盤状になり、該円盤状態で排水口部材１１の筒内へほぼ隙間なく挿入される。ここで、本体２１は、外筒部２２及び内筒部２３と、外筒部２２及び内筒部２３の一部を欠如した開口部２４と、外筒部２２の一部に設けられた弾性係止片２５と、内筒部２３の内端面に設けられた溝部２３ａとを有している。外筒部２２及び内筒部２３は、複数（４本）のアーム２１ａで連結されており、アーム２１ａ同士の間の隙間が排水経路となっている。外筒部２２には、複数（２本）の弾性係止片２５が周囲を等分する箇所にスリット２２ａを介し区画成形されている。各弾性係止片２５は、両側が上下に延びるスリット２２ａで区画され、下側を支点として揺動されると共に、外面に爪部２５ａを突出している。設計上は、下側から爪部２５ａまでが係合力に寄与し、爪部２５ａから上側つまり自由端側が係合解除操作用として利用されるよう設定されている。また、内筒部２３は、内径が上記筒部材３１の外径に対応している。溝部２３ａは、上記突状部３５と係合することにより、筒部材３１に対する固定力を増大可能にする。開口部２４は、外筒部２２及び内筒部２３の一部を抜止部材２６に対応して切り欠いたもので、筒部材３１が径方向から余裕を持って配置可能となっている。この開口部２４は溝部２３ａの対応部も含む。開口部２４の周りには、開口部２４の一方側に位置して、外筒部３１側の手前に形成された略コ形の空間部２４ａと、空間部２４ａを区画している上下面寄りに対向して形成された対の軸部２４ｂと、開口部２４の他方側に位置して、下側を欠肉した嵌合段差２４ｃとが設けられている。
【００１９】
抜止部材２６は、開口部２４に収まって本体２１と共にリテーナ２０を形成する。形状的には、外周部２７及び内周部２８がそれぞれ円弧状をなし、外周部２７と内周部２８との内側を欠如した排水通路と、外周部２７の片側上下に設けられた片部２７ａと、各片部２７ａに設けられた軸孔２７ｂと、外周部２７のうち片部２７ａと反対側の片側に設けられて前記段差２４ｃと嵌合可能な段差２７ｃと、内周部２８に設けられて溝部２３ａと連続可能な溝部２８ａとを有している。そして、以上の抜止部材２６は、本体２１に対し開口部２４内に配置され、軸部２４ｂを軸孔２７ｂに係合することにより図５の想像線位置から、実線位置まで回動可能に取り付けられる。想像線位置では、昇降ユニット３０の筒部材３１を本体内筒部２３の内側へ遊挿可能である。実線位置では、図４のごとく筒部材３１が本体内筒部２３及び抜止部材２６の内周部２８で全周を拘束される。この拘束状態では、筒部材３１が径方向及び上下方向への可動が不能となり、突状部３５と溝部２３ａ及び溝部２８ａとの係合により昇降ユニット３０の径方向及び上下方向への規制力が増大される。
【００２０】
（操作機構体）図７は図１の操作機構体６を模式的に断面し、同（ａ）はスイッチユニットを釦ケースから離した状態で示し、同（ｂ）はスイッチユニット及び操作釦を釦ケースに入れた使用状態（一部模式化している）で示している。図８は操作機構体６の部材関係を示す概略的な構成図である。図９は釦ケースを示し、同（ａ）は上面図、同（ｂ）は側面図、同（ｃ）は（ａ）のＡ−Ａ線断面図である。図１０はスイッチユニットをホルダーに支持した状態を示す模式断面図である。図１１と図１２はホルダーを示し、図１１（ａ），（ｂ）は上面と下面図、図１１（ｃ），（ｄ）は正面と側面図、図１２（ａ）は概略斜視図、図１２（ｂ）は図１１（ｃ）のＢ−Ｂ線断面図である。
形態例の操作機構体６は、槽上側適位置の取付孔３ａに装着される釦ケース４０及びプラグケース４５と、釦ケース４０に組み込まれるホルダー５０及びスイッチユニット６０等を備え、釦ケース４０内に露出されている操作釦１４を押圧すると、該押圧力をスイッチユニット６０の作動により、排水機構体５の栓１２の開閉をワイヤ８及び昇降ユニット３０を介して切り換える。
【００２１】
ここで、釦ケース４０は、操作釦１４の上下動を許容し、かつ、スイッチユニット６０の上側、つまり操作釦１４を連結支持する上側を配置する大きさの略筒形からなる。形状は、図９のごとく筒体４１と、筒体４１の上側周囲に突出されたフランジ部４２と、開口４４付きの底面４３とで形成されている。筒体４１には、フランジ部４２側の補強部４１ａと、それよりも下側の雄ねじ４１ｂとが設けられている。補強部４１ａは、水槽側の取付孔３ａ内に配置される箇所である。雄ねじ４１ｂは、操作側プラグケース４５の雌ねじ４６ｂに対応している。底面４３には概略矩形状の開口４４が設けられている。この開口４４は、スイッチユニット６０を支持するホルダー５０に対応した孔形状であり、左右及び前後で孔径が異なっていて、長い孔径４４ａ部分と、短い孔径４４ｂ部分とを有している。これは、図１２（ｂ）のごとくホルダー５０が開口４４に挿入されたとき、ホルダー上部分（符号５６の突起）を短い孔径４４ｂにて通過不能にし、かつ、同（ｂ）の開口縁に弾性係止片５７の爪部５８で係合可能にするものである。従って、発明の「被係合部」は、開口４４のうち短い孔径４４ｂの縁部に相当する。
【００２２】
プラグケース４５は、図８のごとく上下に貫通している筒形であり、上筒部４６と中筒部４７及び下筒部４８とからなる。上筒部４６は、釦ケース１４を入れる箇所であり、上周囲の突き当て用フランジ部４６ａと、内周の雌ねじ４６ｂとを形成している。そして、ここには釦ケース４０が雄ねじ４１ｂと雌ねじ４６ｂの螺合を介し固定される。中筒部４７は、スイッチユニット６０を支持したホルダー５０の上側を除いて入れる箇所である。符号４６ｃは、上筒部４６及び中筒部４７の外周に突設された補強用リブである。下筒部４８は、連結管７の対応端に金具等を介し接続される箇所であり、ここから、スイッチユニット６０側に接続されてチューブ９で被覆されたワイヤ８が連結管７を通って排水機構体５側へ挿通される。
【００２３】
以上の釦ケース４０及びプラグケース４５には、スイッチユニット６０がホルダー５０を介して組み込まれる。このうち、スイッチユニット６０は、詳細を省いたが、スラストロック機構等と称されているものである。なお、この例では、図１０のごとく、ワイヤ８の対応端側（スイッチユニット６０内に沿って配置される部分）が下側に設けられたサポート６８を有していると共に、該サポート６８より上側にインサートパイプ８ａを装着し、更にインサートパイプ８ａの端末側に取付具６９を装着している。符号６９ａは該取付具６９の上端に設けられた軸である。そして、操作釦１４は、下側に設けられた装着穴１４ａを有し、該装着孔１４ａに取付具６９の軸６９ａが圧入等により結合される。
【００２４】
スイッチユニット６０は、下側のケース６１及び上側のカムケース６２がホルダー５０に支持される外形状を形成している。ケース６１は、下側で最大幅部を形成している本体６１ａと、本体６１ａの上側に突設されている筒部６１ｂとからなる。筒部６１ｂはカムケース６２の内側に配置されている。筒部６１ｂ及びカムケース６２内には、上側に位置してカムケース６２に支持されているカムストッパー６３と、下側に位置してスプリング６６を外周に配置しているステー６４と、カムストッパー６３及びステー６４の間に配置されたカム６５等が設けられている。符号６７はステー６４の下端開口に設けられたシール材である。そして、ワイヤ対応部は、中心下側より上へ挿入され、本体６１ａ内にサポート６８を介し位置規制された状態で、ステー６４、カム６５、カムストッパー６３に挿通されて、前記取付具６９がカムストッパー６３内に収まり、軸６９ａがそのカムストッパー６３の端面の孔から突出されている。作動的には、操作釦１４が押圧されると、前記カム６５の軌跡に沿ってワイヤ８を可動し、該可動により排水機構体５の昇降ユニット２０を動作させて栓１２の開閉を切り換える。この作動切換は、操作釦１４が最初に押圧されて最下位置になったときに（例えば、「開栓位置」で）ロックされ、もう一回押圧されると、該ロックが解除されてスプリング６６の力で初期位置に戻される（例えば、「閉栓位置」）構成である。但し、スイッチユニット６０自体は、この形態以外のスラストロック機構でも差し支えない。
【００２５】
ホルダー５０は、図１１と図１２のごとく小ブロック状に形成された樹脂成形品である。形状的には、枠状の下ホルダー５１と、下ホルダー５１の対向側より上へ突設された上ホルダー５２とに大別される。下ホルダー５１は、両側壁５３が前後壁５４より一段張り出しており、上記釦ケース４０の底面開口４４に挿通される。前後壁５４には、上ホルダー５２を構成している対向した立壁５５，５５が設けられている。各立壁５５は、対称形であり、４隅の上側に設けられた係止突部５６と、上側に位置して左右中間に区画形成された弾性係止片５７とで構成されている。係止突部５６は、各立壁５５の先端外側へ突出されている。そして、係止突起５６は、ホルダー５０が釦ケース４０に挿入されて、対応部が底面４３の開口４４から突出されたときに開口４４の短い孔径４４ｂ側に位置して底面対応部に当たる、つまり挿入規制用のストッパーとして機能する。
【００２６】
これに対し、弾性係止片５７は、上記した弾性係止片２５に作用的に類似し、両側が上下に延びる２本のスリット５４ａと、内側に設けられた切肉部５９と、外面に突設された爪部５８とを有している。設計上は、連結部である下部５７ａから爪部５８までが係合力に寄与し、爪部５８から上側つまり自由端５７ｂ側が係合解除操作用として利用されるよう設定されている。以上のホルダー５０は、図１１（ｃ）の想像線で示したごとく前記スイッチユニット６０のケース本体６１を下ホルダー５１内で嵌合保持し、本体筒部６１ｂを上ホルダー５２内で規制する構成である。なお、以上のホルダー５０は、スイッチユニット６０を支持できること、図１２の想像線のごとく釦ケース４０に挿入されて底面４３の開口４４から突出されたときに弾性係止片５７が短い孔径（被係合部）４４ｂと係合して釦ケース４０に固定可能であればよく、使用するスイッチユニット及び釦ケースの開口に対応して設計される。
【００２７】
（槽側への組込手順例）次に、以上の排水機構体５及び操作機構体６を水槽１に組み込む手順の一例を概説する。この組込作業では、操作機構体６を先に組み付けた後、排水機構体５を組み付ける方が好ましい。このため、操作機構体６側を説明し、次に排水機構体５側について述べる。なお、槽組込前工程において、ワイヤ８には上記昇降ユニット３０及びスイッチユニット６０がワイヤ対応端に取り付けられ、スイッチユニット６０には操作釦１４が取り付けられ、スイッチユニット６０がホルダー５０に支持されているものとする。
【００２８】
（ア）、操作機構体６の組込作業では、図８のごとくワイヤ８を配置して、釦ケース４０とプラグケース４５とを連結する。この作業では、釦ケース４０が取付孔３ａから挿入され、雄ねじ４１ｂを雌ねじ４６ｂに螺入することによりプラグケース４５に対し連結固定される。この場合、釦ケース側フランジ部４２ａが槽表面にシール材Ｓ３を介して当接されるようにしたり、プラグケース側フランジ部４６ａが槽裏面側にシール材Ｓ４を介して当接される。なお、シール材Ｓ３は省略されることもある。
（イ）、次に、ホルダー５０をスイッチユニット６０と共に釦ケース４０に取り付ける。この作業では、スイッチユニット６０を支持しているホルダー５０が釦ケース４０の開口４４に対し位置決めされた状態、つまりホルダー５０の両側壁５３を開口４４の長い孔径４４ａに一致させてから、釦ケース４０内に上から下へ挿入される。すると、各弾性係止片５７が開口４４の短い孔径４４ｂ側に当たるので、更に強く押圧する。この押圧により、各弾性係止片５７は、被係合部である短い孔径４４ｂの孔縁を弾性的に乗り越え、かつ、通過と同時に初期形状に復元してその短い孔径４４ｂの孔縁に係合固定される。この係合状態は、図１２（ｂ）のごとく係止突起５６と爪部５８との間に釦ケース４０の底面４３を挟持している。これにより、操作機構体６の組み込みが完了する。
（ウ）、以上のように、この構造では、スイッチユニット６０が釦ケース４０に対しホルダー５０を介しワンタッチで係合固定される。この係合状態は、図１２（ｂ）のごとく弾性係止片５７の自由端５７ｂが釦ケース内に位置し、かつ、該自由端５７ｂが上向きに突出している。このため、修理等では、操作釦１４をスイッチユニット６０から外し、両側の自由端５７ｂを近づけると、前記係合が解除され、ホルダー５０をスイッチユニット６０と共に釦ケース４０より引き上げることが可能となる。この点は、例えば、スイッチユニット６０等が故障し交換する場合等に極めて便利なものとなり、従来品では期待できないメンテナンス性を実現できる。
【００２９】
（エ）、排水機構体５の組込作業では、排水口部材１１とプラグケース１５を水槽１に組み付ける。この作業では、排水口部材１１が排水口３に挿入された状態で、フランジ部１１ａが槽底面内側にシール材Ｓ１を介し排水口３を封止可能に当接され、雄ねじ１１ｂと雌ねじ１５ｂとの螺合によりプラグケース１５の管部１５Ａに連結操作される。その際は、昇降ユニット３０が管部１５Ｂ、管部１５Ａから排水口部材１１の上方へ挿入される。また、上方へ挿入された昇降ユニット３０には、栓１２が可動筒３２に対し可動筒側爪部３２ａと栓側連結脚１２ａとの係合を介し固定される。この昇降ユニット３０は、この栓１２の装着により、仮に下へ可動しても栓閉状態となるためそれ以上下へ移動されない。
（オ）、次に、昇降ユニット３０を排水口部材１１内にリテーナ２０を介して取り付ける。この作業では、例えば、図５（ａ）の想像線のごとく抜止部材２６がヒンジ（軸部２４ｂと軸孔２７ｂ）を介し拡開された状態から、本体２１の開口部２４に昇降ユニット３０の筒部材３１を径方向より挿入し、その後、抜止部材２６をヒンジ（軸部２４ｂと軸孔２７ｂ）を介し開口部２４内に回動操作する。これにより、リテーナ２０は図４（ａ）のごとく筒部材３１の全周を拘束する。この拘束状態では、筒部材３１が径方向及び上下方向への可動が不能となる。
（カ）、以上の拘束状態から、昇降ユニット３０は、排水口部材１１内にリテーナ２０と共に上から下へ挿入されると、各弾性係止片２５が被係合部１１ｃと当たるので、更に強く押圧する。この押圧により、各弾性係止片２５は、被係合部１１ｃを弾性的に乗り越え、かつ、通過と同時に初期形状に復元して被係合部１１ｃに係合固定される。これにより、水槽１の排水口３に対する排水機構体５の組み込みが完了する。この構造では、リテーナ２０が排水口部材１１の内面に拘束されるため、昇降ユニット３０に対する固定力も確実に保たれ、該固定力が経年変化に影響されることなく長期に維持される。また、この構造では、リテーナ２０が排水口部材１１に対し弾性係止片２５を介しワンタッチで係合固定される。この弾性係止片２５は、その自由端側が排水口部材１１内に位置し、かつ、該自由端が上向きに突出している。このため、修理等では、栓１２を昇降ユニット３０から外し、両側の自由端を近づけると、前記係合が解除され、リテーナ２０を昇降ユニット３０と共に排水口部材１１より引き上げることが可能となる。これらは、上記弾性係止片５７と同様にメンテナンス性に優れている点である。
【００３０】
なお、以上の形態は本発明を何ら制約するものではない。本発明は、請求項１の要件を満たす範囲で種々変形可能なものである。その一例を挙げると、係合構造的には、弾性係止片２５を排水口部材１１に設けリテーナ２０の被係合部に係脱したり、弾性係止片５７を釦ケース４０側に設けてホルダー５０側の被係合部に係脱することも可能である。
【００３１】
【発明の効果】
以上説明したとおり、本発明に係る排水栓装置は、遠隔操作式において、釦ケースに対するスイッチユニットの着脱性、排水口部材に対する昇降ユニットの着脱性を良好にし、それにより、槽への組込操作性及び保守や修理等のメンテナンス性並びに解体性等に優れ、しかも各機構部の安定かつ強固な支持も実現できる。
【図面の簡単な説明】
【図１】本発明装置の水槽への適用例を模式的に示す配置図である。
【図２】図１の排水機構体側を示す説明図である。
【図３】図２の排水機構体側の部材関係を示す構成図である。
【図４】上記排水機構体の昇降ユニットの関連部を示す図である。
【図５】図４のリテーナの構成図である。
【図６】図４のリテーナの概略外観斜視である。
【図７】図１の操作機構体側を示す説明図である。
【図８】図７の操作機構体側の部材関係を示す構成図である。
【図９】図８の釦ケースの構成図である。
【図１０】上記操作機構体のスイッチユニットを示す概略構成図である。
【図１１】上記操作機構体のホルダーを示す構成図である。
【図１２】図１１のホルダーの外観と断面を示す図である。
【図１３】従来排水栓装置の基本構成例を示す参考図である。
【符号の説明】
１…水槽（２は槽底面、３は排水口、３ａは取付孔、４は槽上面）
５…排水機構体（１２は栓）
６…操作機構体（１４は操作釦）
７…連結管（８はレリースワイヤ、９はチューブ）
１０…排水栓装置
１１…排水口部材（１１ｃは被係合部）
１５…プラグケース
２０…リテーナ
２５…弾性係止片（２５ａは爪部）
３０…昇降ユニット（リフト機構）
４０…釦ケース（４３は底面、４４は開口）
４４ｂ…短い孔径（被係合部）
４５…プラグケース
５０…ホルダー
５７…弾性係止片（５７ａは下端、５７ｂは自由端、５８は爪部）
６０…スイッチユニット（スラストロック機構、６１はケース）
【図１】
2004300840.tif 000003
【図２】
2004300840.tif 000004
【図３】
2004300840.tif 000005
【図４】
2004300840.tif 000006
【図５】
2004300840.tif 000007
【図６】
2004300840.tif 000008
【図７】
2004300840.tif 000009
【図８】
2004300840.tif 000010
【図９】
2004300840.tif 000011
【図１０】
2004300840.tif 000012
【図１１】
2004300840.tif 000013
【図１２】
2004300840.tif 000014
【図１３】
2004300840.tif 000015